【手続補正書】
【提出日】平成17年11月18日(2005.11.18)
【手続補正１】
【補正対象書類名】明細書
【補正対象項目名】特許請求の範囲
【補正方法】変更
【補正の内容】
【特許請求の範囲】
【請求項１】  乗客手荷物の目録調査を実施する方法であって、手荷物タグが各手荷物に取り付けられ、各手荷物タグにはタグ識別番号（タグＩＤ）および製造者番号が恒久的に割り当てられ、
タグ読取り装置において、目覚まし信号を送信し、続いて、少なくとも１つの第１のクロック信号を送るステップと、
各手荷物タグにおいて、
前記少なくとも１つの第１のクロック信号に応答して第１のタグカウントを増分し、
前記各手荷物タグの前記タグＩＤが前記第１のタグカウントに相応するときに前記各手荷物タグに割り当てられているタグＩＤを送信するステップと、
前記タグ読取り装置において、
前記少なくとも１つの第１のクロック信号に応答して第１の読取り装置カウントを増分し、
複数の手荷物タグが前記第１の読取り装置カウントに対応する前記少なくとも１つの第１のクロック信号のうちの１つに応答したときに与えられた第１の読取り装置カウントを記憶し、
前記与えられた第１の読取り装置カウントを送信し、続いて少なくとも１つの第２のクロック信号を送信するステップと、
前記与えられた第１の読取り装置カウントに対応する前記少なくとも１つの第１のクロック信号のうちの前記１つに応答した各手荷物タグにおいて、
前記少なくとも１つの第２のクロック信号に応答して第２のタグカウントを増分し、
前記各手荷物タグの前記製造者番号が前記第２のカウントに相応するときに、前記与えられた第１の読取り装置カウントに対応する前記少なくとも１つの第１のクロック信号のうちの前記１つに応答した前記各手荷物タグに割り当てられている前記製造者番号を送信するステップとを含むことを特徴とする方法。
【請求項２】  チケットタグが各乗客のチケットに貼り付けられ、各チケットタグにはタグＩＤおよび乗客の手荷物に取り付けられた手荷物タグの製造者番号が恒久的に割り当てられ、
請求項１の方法によるチケットタグの目録調査を実施し、チケットタグの前記目録と手荷物タグの目録とを比較して各乗客および前記各乗客の手荷物が同一の輸送手段に搭乗するのを確実にするステップを含むことを特徴とする請求項１に記載の方法。
【請求項３】  各手荷物タグに、タグＩＤおよび製造時の製造者番号が恒久的に割り当てられることを特徴とする請求項１に記載の方法。
【請求項４】  少なくとも１つの手荷物タグがセンサを備え、さらに、
少なくとも１つの手荷物タグにおいて、前記センサの内容を送信することを特徴とする請求項１に記載の方法。
【請求項５】  乗客手荷物の目録調査を実施する際に使用するタグであって、各手荷物にタグが取り付けられ、各タグにはタグ識別番号（タグＩＤ）および製造者番号が恒久的に割り当てられ、
目覚まし信号を受信し、続いて、少なくとも１つの第１のクロック信号を受信する手段と、
前記少なくとも１つの第１のクロック信号に応答して第１のタグカウントを増分する手段と、
前記タグＩＤが前記第１のタグカウントに相応するときに当該タグに割り当てられているタグＩＤを送信する手段と、
少なくとも１つの第２のクロック信号を受信する手段と、
前記少なくとも１つの第２のクロック信号に応答して第２のタグカウントを増分する手段と、
前記各タグの前記製造者番号が前記第２のカウントに相応するときに当該タグに割り当てられている製造者番号を送信する手段とを備えることを特徴とするタグ。
【請求項６】  さらに、
センサと、
前記センサの内容を送信する手段を備えることを特徴とする請求項５に記載のタグ。
【請求項７】  乗客手荷物の目録調査を実施するための読取り装置であって、各手荷物にタグが取り付けられ、各タグにはタグ識別番号（タグＩＤ）および製造者番号が恒久的に割り当てられ、
目覚まし信号を送信し、続いて、少なくとも１つのクロック信号を送信する手段と、
前記少なくとも１つの第１のクロック信号に応答して第１の読取り装置カウントを増分する手段と、
前記少なくとも１つの第１のクロック信号のうちの１つに応答してタグによって送信されたタグＩＤを受信する手段と、
複数のタグが前記第１の読取り装置カウントに対応する前記少なくとも１つの第１のクロック信号のうちの１つに応答したときに与えられた第１の読取り装置カウントを記憶する手段と、
前記与えられた第１の読取り装置カウントを送信し、続いて少なくとも１つの第２のクロック信号を送信する手段と、
前記少なくとも１つの第２のクロック信号のうちの１つに応答してタグによって送信された製造者番号を受信する手段とを備えることを特徴とする読取り装置。
【請求項８】  タグを配置するシステムであって、各タグに恒久的識別番号
を割り当て、
目覚まし信号を送信し、続いて、タイムスロット番号を送信するタグ読取り装置と、
前記少なくとも１つのタグに割り当てられている前記恒久的識別番号が前記タイムスロット番号に相応するときに前記少なくとも１つのタグに割り当てられている恒久的識別番号を送信する少なくとも１つのタグとを備えることを特徴とするシステム。
【請求項９】  タグを配置する方法であって、各タグに恒久的識別番号を割り当て、
タグ読取り装置において、目覚まし信号を送信し、続いて、タイムスロット番号を送信するステップと、
各タグにおいて、前記各タグに割り当てられている前記恒久的識別番号が前記タイムスロット番号に相応するときに前記各タグに割り当てられている恒久的識別番号を送信するステップを含むことを特徴とする方法。
【請求項１０】  タグの目録調査を実施するシステムであって、各タグに恒久的識別番号を割り当て、
タグ読取り装置において、目覚まし信号を送信し、続いて、少なくとも１つのクロック信号を送信する手段と、
各タグにおいて、
前記少なくとも１つのクロック信号に応答してタグカウントを増分する手段と、
前記各タグの前記恒久的識別番号が前記タグカウントに相応するときに前記各タグに割り当てられている恒久的識別番号を送信する手段を備えることを特徴とするシステム。
【請求項１１】  タグの目録調査を実施するシステムであって、各タグに恒久的識別番号を割り当て、
タグ読取り装置において、
目覚まし信号を送信し、続いて、少なくとも１つのクロック信号を送信する手段と、
前記少なくとも１つのクロック信号に応答して読取り装置カウントを増分する手段と、
各タグにおいて、
前記少なくとも１つのクロック信号に応答してタグカウントを増分する手段と、
前記各タグの前記恒久的識別番号が前記タグカウントに相応するときに応答信号を送信する手段と、
前記タグ読取り装置において、
前記応答信号の１つを受信したときに前記読取り装置カウントを記録し、それにより、前記応答信号のうち前記１つを送信したタグの存在を記録する手段を備えることを特徴とするシステム。
【請求項１２】  さらに、
前記タグ読取り装置において、タグ読取りを実行する命令を送信する手段を備えることを特徴とする請求項１０または１１に記載のシステム。
【請求項１３】  タグ送信の持続時間が固定されており、さらに、
前記タグ読取り装置において、タグ送信持続時間が経過した後、前記少なくとも１つのクロック信号のうちのさらに１つを送信する手段を備えることを特徴とする請求項１０または１１に記載のシステム。
【請求項１４】  さらに、
前記タグ読取り装置において、タグ応答時間の経過後、前記少なくとも１つのクロック信号のうちのさらに１つを送信する手段を備え、前記タグ応答時間がタグ読取り装置の送信から一致タグ送信を前記タグ読取り装置で受信したときまでの最大持続時間であることを特徴とする請求項１０または１１に記載のシステム。
【請求項１５】  さらに、
各タグにおいて、
センサと、
前記センサの内容を送信する手段を備えることを特徴とする請求項１０または１１に記載のシステム。
【請求項１６】  各タグに製造時に前記恒久的識別番号が恒久的に割り当てられることを特徴とする請求項１０に記載のシステム。
【請求項１７】  前記恒久的識別番号が暗号化されていることを特徴とする請求項１０に記載のシステム。
【請求項１８】  さらに、
充電信号を送信する手段であって、それによりタグに電力を供給する手段を備えることを特徴とする請求項１０または１１に記載のシステム。
【請求項１９】  さらに、
前記タグ読取り装置において、前記少なくとも１つのクロック信号に応答して読取り装置カウントを増分する手段を備えることを特徴とする請求項１０に記載のシステム。
【請求項２０】  さらに、
前記タグ読取り装置において、前記読取り装置カウントが前記恒久的識別番号に一致しない場合にエラーを表示する手段を備えることを特徴とする請求項１９に記載のシステム。
【請求項２１】  前記恒久的識別番号と前記読取り装置カウントの相応するもの同士が同一であることを特徴とする請求項１９に記載のシステム。
【請求項２２】  さらに、
前記タグ読取り装置において、複数のタグが前記与えられた読取り装置カウントに対応する前記少なくとも１つのクロック信号のうちの１つに応答したときに与えられた読取り装置カウントを記憶する手段を備えることを特徴とする請求項１９に記載のシステム。
【請求項２３】  各タグに第２の恒久的識別番号を割り当て、さらに
前記タグ読取り装置において、前記与えられた読取り装置カウントを送信し、
続いて少なくとも１つの第２のクロック信号を送信する手段と、
前記与えられた読取り装置カウントに対応する前記少なくとも１つのクロック信号のうちの前記１つに応答した各タグにおいて、
前記少なくとも１つの第２のクロック信号に応答して第２のタグカウントを増分する手段と、
前記各タグの前記第２の恒久的識別番号が前記第２のカウントに相応するときに前記各タグに割り当てられている第２の恒久的識別番号を送信する手段を備えることを特徴とする請求項２２に記載のシステム。
【請求項２４】  さらに、
前記タグ読取り装置において、複数のタグが前記与えられた読取り装置カウントに対応する前記少なくとも１つのクロック信号のうちの１つに応答したときに与えられた読取り装置カウントを記憶する手段を備えることを特徴とする請求項１１に記載のシステム。
【請求項２５】  各タグに第２の恒久的識別番号を割り当て、さらに
前記タグ読取り装置において、
前記与えられた読取り装置カウントを送信し、続いて少なくとも１つの第２のクロック信号を送信する手段と、
前記少なくとも１つの第２のクロック信号に応答して第２の読取り装置カウントを増分する手段と、
前記与えられた読取り装置カウントに対応する前記少なくとも１つのクロック信号のうちの前記１つに応答した各タグにおいて、
前記少なくとも１つの第２のクロック信号に応答して第２のタグカウントを増分する手段と、
前記各タグの前記第２の恒久的識別番号が前記第２のカウントに相応するときに第２の応答信号を送信する手段と、
前記タグ読取り装置において、
前記第２の応答信号の１つを受信したときに前記第２の読取り装置カウントを記録し、それにより、前記第２の応答信号のうち前記１つを送信したタグの存在を記録する手段を備えることを特徴とする請求項２４に記載のシステム。
【請求項２６】  さらに、
前記タグ読取り装置において、第２のタグ読取りを実行する命令を送信する手段を備えることを特徴とする請求項２３または２５に記載のシステム。
【請求項２７】  さらに、
前記タグ読取り装置において、前記少なくとも１つの第２のクロック信号に応答して第２の読取り装置カウントを増分する手段を備えることを特徴とする請求項２３に記載のシステム。
【請求項２８】  さらに、
前記タグ読取り装置において、前記第２の読取り装置カウントが前記第２の恒久的識別番号に一致しない場合にエラーを表示する手段を備えることを特徴とする請求項２７に記載のシステム。
【請求項２９】  さらに、
前記タグ読取り装置において、複数のタグが前記与えられた第２の読取り装置カウントに対応する前記少なくとも１つの第２のクロック信号のうちの１つに応答したときに前記与えられた読取り装置カウントおよび与えられた第２の読取り装置カウントを記憶する手段を備えることを特徴とする請求項２７に記載のシステム。
【請求項３０】  各タグに第３の恒久的識別番号を割り当て、さらに
前記タグ読取り装置において、前記与えられた読取り装置カウントと前記与えられた第２の読取り装置カウントを送信し、続いて少なくとも１つの第３のクロック信号を送信する手段と、
前記与えられた第２の読取り装置カウントに対応する前記少なくとも１つの第２のクロック信号のうちの前記１つに応答した各タグにおいて、
前記少なくとも１つの第３のクロック信号に応答して第３のタグカウントを増分する手段と、
前記各タグの前記第３の恒久的識別番号が前記第３のタグカウントに相応するときに前記各タグに割り当てられている第３の恒久的識別番号を送信する手段を備えることを特徴とする請求項２９に記載のシステム。
【請求項３１】  さらに、
前記タグ読取り装置において、前記少なくとも１つの第３のクロック信号に応答して第３の読取り装置カウントを増分する手段を備えることを特徴とする請求項３０に記載のシステム。
【請求項３２】  さらに、
前記タグ読取り装置において、前記第３の読取り装置カウントが前記第３の恒久的識別番号に一致しない場合にエラーを表示する手段を備えることを特徴とする請求項３１に記載のシステム。
【請求項３３】  さらに、
前記タグ読取り装置において、複数のタグが前記与えられた第２の読取り装置カウントに対応する前記少なくとも１つの第２のクロック信号のうちの１つに応答したときに前記与えられた読取り装置カウントおよび与えられた第２の読取り装置カウントを記憶する手段を備えることを特徴とする請求項２５に記載のシステム。
【請求項３４】  各タグに第３の恒久的識別番号を割り当て、さらに
前記タグ読取り装置において、
前記与えられた読取り装置カウントおよび前記与えられた第２の読取り装置カウントを送信し、続いて少なくとも１つの第３のクロック信号を送信する手段と、
前記少なくとも１つの第３のクロック信号に応答して第３の読取り装置カウントを増分する手段と、
前記与えられた第２の読取り装置カウントに対応する前記少なくとも１つの第２のクロック信号のうちの前記１つに応答した各タグにおいて、
前記少なくとも１つの第３のクロック信号に応答して第３のタグカウントを増分する手段と、
前記各タグの前記第３の恒久的識別番号が前記第３のタグカウントに相応するときに第３の応答信号を送信する手段と、
前記タグ読取り装置において、
前記第３の応答信号の１つを受信したときに前記第３の読取り装置カウントを記録し、それにより、前記第３の応答信号のうち前記１つを送信したタグの存在を記録する手段を備えることを特徴とする請求項３３に記載のシステム。
【請求項３５】  さらに、
前記タグ読取り装置において、第３のタグ読取りを実行する命令を送信する手段を備えることを特徴とする請求項３０または３４に記載のシステム。
【請求項３６】  タグの目録調査を実行する方法であって、各タグに恒久的識別番号を割り当て、
タグ読取り装置において、目覚まし信号を送信し、続いて、少なくとも１つのクロック信号を送るステップと、
各タグにおいて、
前記少なくとも１つのクロック信号に応答してタグカウントを増分し、前記各タグの前記恒久的識別番号が前記タグカウントに相応するときに前記各タグに割り当てられている恒久的識別番号を送信するステップを含むことを特徴とする方法。
【請求項３７】  タグの目録調査を実行する方法であって、各タグに恒久的識別番号を割り当て、
タグ読取り装置において、
目覚まし信号を送信し、続いて、少なくとも１つのクロック信号を送り、前記少なくとも１つのクロック信号に応答して読取り装置カウントを増分するステップと、
各タグにおいて、
前記少なくとも１つのクロック信号に応答してタグカウントを増分し
前記各タグの前記恒久的識別番号が前記タグカウントに相応するときに応答信号を送信するステップと、
前記タグ読取り装置において、
前記応答信号の１つを受信したときに前記読取り装置カウントを記録し、それにより、前記応答信号のうちの前記１つを送信したタグの存在を記録するステップを含むことを特徴とする方法。
【請求項３８】  さらに、
前記タグ読取り装置において、タグ読取りを実行する命令を送信するステップを含むことを特徴とする請求項３６または３７に記載の方法。
【請求項３９】  タグ送信の持続時間が固定されており、さらに、
前記タグ読取り装置において、タグ送信持続時間が経過した後、前記少なくとも１つのクロック信号のうちのさらに１つを送信するステップを含むことを特徴とする請求項３６または３７に記載の方法。
【請求項４０】  さらに、
前記タグ読取り装置において、タグ応答時間の経過後、前記少なくとも１つのクロック信号のうちのさらに１つを送信するステップを含み、前記タグ応答時間がタグ読取り装置の送信から一致タグ送信を前記タグ読取り装置で受信したときまでの最大持続時間であることを特徴とする請求項３６または３７に記載の方法。
【請求項４１】  さらに、
各タグにおいて、
外部状態を感知するステップと、
前記外部状態に関する情報を送信するステップを含むことを特徴とする請求項３７に記載の方法。
【請求項４２】  各手荷物タグにタグＩＤおよび製造時の製造者番号が恒久的に割り当てられることを特徴とする請求項３６に記載の方法。
【請求項４３】  少なくとも１つの手荷物タグがセンサを備え、さらに、
少なくとも１つの手荷物タグにおいて、前記センサの内容を送信するステップを含むことを特徴とする請求項３６に記載の方法。
【請求項４４】  前記恒久的識別番号が暗号化されていることを特徴とする請求項３６に記載の方法。
【請求項４５】  さらに、
充電信号を送信するステップであって、それによりタグに電力を供給するステップを含むことを特徴とする請求項３６または３７に記載の方法。
【請求項４６】  さらに、
前記タグ読取り装置において、前記少なくとも１つのクロック信号に応答して読取り装置カウントを増分するステップを含むことを特徴とする請求項３６に記載の方法。
【請求項４７】  さらに、
前記タグ読取り装置において、前記読取り装置カウントが前記恒久的識別番号に一致しない場合にエラーを表示するステップを含むことを特徴とする請求項４６に記載の方法。
【請求項４８】  前記恒久的識別番号および前記読取り装置カウントのうちの相応するもの同士が、
同一であることを特徴とする請求項４６に記載の方法。
【請求項４９】  さらに、
前記タグ読取り装置において、複数のタグが前記与えられた読取り装置カウントに対応する前記少なくとも１つのクロック信号のうちの１つに応答したときに与えられた読取り装置カウントを記憶するステップを含むことを特徴とする請求項４６に記載の方法。
【請求項５０】  各タグに第２の恒久的識別番号を割り当て、さらに
前記タグ読取り装置において、前記与えられた読取り装置カウントを送信し、
続いて少なくとも１つの第２のクロック信号を送信するステップと、
前記与えられた読取り装置カウントに対応する前記少なくとも１つのクロック信号のうちの前記１つに応答した各タグにおいて、
前記少なくとも１つの第２のクロック信号に応答して第２のタグカウントを増分し、
前記各タグの前記第２の恒久的識別番号が前記第２のカウントに相応するときに前記各タグに割り当てられている第２の恒久的識別番号を送信するステップを含むことを特徴とする請求項４９に記載の方法。
【請求項５１】  さらに、
前記タグ読取り装置において、複数のタグが前記与えられた読取り装置カウントに対応する前記少なくとも１つのクロック信号のうちの１つに応答したときに与えられた読取り装置カウントを記憶するステップを含むことを特徴とする請求項３７に記載の方法。
【請求項５２】  各タグに第２の恒久的識別番号を割り当て、さらに
前記タグ読取り装置において、
前記与えられた読取り装置カウントを送信し、続いて少なくとも１つの第２のクロック信号を送信し、
前記少なくとも１つの第２のクロック信号に応答して第２の読取り装置カウントを増分するステップと、
前記与えられた読取り装置カウントに対応する前記少なくとも１つのクロック信号のうちの前記１つに応答した各タグにおいて、
前記少なくとも１つの第２のクロック信号に応答して第２のタグカウントを増分し、
前記各タグの前記第２の恒久的識別番号が前記第２のカウントに相応するときに第２の応答信号を送信するステップと、
前記タグ読取り装置において、
前記第２の応答信号の１つを受信したときに前記第２の読取り装置カウントを記録し、それにより、前記第２の応答信号のうち前記１つを送信したタグの存在を記録するステップを含むことを特徴とする請求項５１に記載の方法。
【請求項５３】  さらに、
前記タグ読取り装置において、第２のタグ読取りを実行する命令を送信するステップを含むことを特徴とする請求項５０または５２に記載の方法。
【請求項５４】  さらに、
前記タグ読取り装置において、前記少なくとも１つの第２のクロック信号に応答して第２の読取り装置カウントを増分するステップを含むことを特徴とする請求項５０に記載の方法。
【請求項５５】  さらに、
前記タグ読取り装置において、前記第２の読取り装置カウントが前記第２の恒久的識別番号に一致しない場合にエラーを表示するステップを含むことを特徴とする請求項５４に記載の方法。
【請求項５６】  さらに、
前記タグ読取り装置において、複数のタグが前記与えられた第２の読取り装置カウントに対応する前記少なくとも１つの第２のクロック信号のうちの１つに応答したときに前記与えられた読取り装置カウントおよび与えられた第２の読取り装置カウントを記憶するステップを含むことを特徴とする請求項５２または５４に記載の方法。
【請求項５７】  各タグに第３の恒久的識別番号を割り当て、さらに
前記タグ読取り装置において、前記与えられた読取り装置カウントと前記与えられた第２の読取り装置カウントを送信し、続いて少なくとも１つの第３のクロック信号を送信するステップと、
前記与えられた第２の読取り装置カウントに対応する前記少なくとも１つの第２のクロック信号のうちの前記１つに応答した各タグにおいて、
前記少なくとも１つの第３のクロック信号に応答して第３のタグカウントを増分し、
前記各タグの前記第３の恒久的識別番号が前記第３のタグカウントに相応するときに前記各タグに割り当てられている第３の恒久的識別番号を送信するステップを含むことを特徴とする請求項５６に記載の方法。
【請求項５８】  各タグに第３の恒久的識別番号を割り当て、さらに
前記タグ読取り装置において、
前記与えられた読取り装置カウントおよび前記与えられた第２の読取り装置カウントを送信し、続いて少なくとも１つの第３のクロック信号を送信し、
前記少なくとも１つの第３のクロック信号に応答して第３の読取り装置カウントを増分するステップと、
前記与えられた第２の読取り装置カウントに対応する前記少なくとも１つの第２のクロック信号のうちの前記１つに応答した各タグにおいて、
前記少なくとも１つの第３のクロック信号に応答して第３のタグカウントを増分し、
前記各タグの前記第３の恒久的識別番号が前記第３のタグカウントに相応するときに第３の応答信号を送信するステップと、
前記タグ読取り装置において、
前記第３の応答信号の１つを受信したときに前記第３の読取り装置カウントを記録し、それにより、前記第３の応答信号のうち前記１つを送信したタグの存在を記録するステップを含むことを特徴とする請求項５６に記載の方法。
【請求項５９】  さらに、
前記タグ読取り装置において、第３のタグ読取りを実行する命令を送信するステップを含むことを特徴とする請求項５７または５８に記載の方法。
【請求項６０】  さらに、
前記タグ読取り装置において、前記少なくとも１つの第３のクロック信号に応答して第３の読取り装置カウントを増分するステップを含むことを特徴とする請求項５７に記載の方法。
【請求項６１】  さらに、
前記タグ読取り装置において、前記第３の読取り装置カウントが前記第３の恒久的識別番号に一致しない場合にエラーを表示するステップを含むことを特徴とする請求項６０に記載の方法。
【請求項６２】  電子在庫管理で使用するタグを製作する方法であって、
目録応答回路を含む専用集積回路（ＡＳＩＣ）を製造するステップと恒久的識別番号で前記ＡＳＩＣをプログラムするステップと、
導電性材料を使用して自在に曲がる基板にアンテナパターンとボンディングパッドをプレプリントするステップと、
導電性接着剤を使用して前記ボンディングパッドにフリップチップボンディングで前記ＡＳＩＣを接着するステップを含むことを特徴とする方法。
【請求項６３】  さらに、
タグの第１の部分に付着手段を貼り付け、それにより前記第１の部分をタグの第２の部分に接合して、タグを付ける対象に関してタグを閉じるステップと、
閉じているタグをタグの付いている対象から取り外そうとするとタグが動作不能になるように前記タグにミシン目を入れるステップとを含むことを特徴とする請求項６２に記載の方法。
【請求項６４】  前記付着手段を接着剤とすることを特徴とする請求項６２に記載の方法。
【請求項６５】  さらに、
前記自在に曲がる基板の第１の部分に陽極をプレプリントするステップと、
前記自在に曲がる基板の第２の部分に陰極をプレプリントするステップと、
誘電体材料および電解物質の少なくとも１つを前記陽極および前記陰極の少なくとも１つに塗布するステップと、
付着手段を前記陽極および前記陰極の少なくとも１つに貼り付けるステップを含み、
それにより、前記付着手段を使用して前記陽極と前記陰極とを後から付着することで電力供給手段を形成し、それ以降に前記陽極および前記陰極を取り外そうとすると前記電力供給手段が破壊されることを特徴とする請求項６２に記載の方法。
【請求項６６】  前記付着手段を接着剤とすることを特徴とする請求項６３に記載の方法。
【請求項６７】  さらに、
前記ＡＳＩＣを気密封止するステップを含むことを特徴とする請求項６２に記載の方法。
【請求項６８】  さらに、
前記タグに少なくとも１つのセンサを組み込むステップを特徴とする請求項６２に記載の方法。
【請求項６９】  さらに、
タグが動作するか否かをテストするステップと、
タグが動作不能の場合にタグにマークを付けるステップを含むことを特徴とする請求項６２に記載の方法。
【請求項７０】  請求項６２から６９のいずれかに記載の方法により製作されるタグ。
【手続補正２】
【補正対象書類名】明細書
【補正対象項目名】００４７
【補正方法】変更
【補正の内容】
【００４７】
次に、ステップ７０８に示されているように、読取り装置１０４は、まず、一連の増分命令を送信する。それに対する応答として、競合しているタグは、ステップ７１０に示されているように、自分のカウンタ／シフトレジスタ３１２を増分する。タグのカウンタ／シフトレジスタ３１２の出力が、ステップ７１２からの「はい」分岐で示されているように、ロット番号タップ３１４ｃに恒久的にプログラムされているタグロット番号と一致した場合に、タグはステップ７１４で示されているように、そのロット番号を送信する。